(57)【特許請求の範囲】
【請求項１】
位置決定基準信号の送信方法であって、
0005478721.tif 000030
PRSシーケンスの物理リソースブロックにおける位置を確定するステップと、
確定した位置で取得したPRSシーケンスを送信するステップとを含み、
0005478721.tif 000031
ことを特徴とする位置決定基準信号の送信方法。
【請求項２】
0005478721.tif 000032
0005478721.tif 000033
0005478721.tif 000034
0005478721.tif 000035
ことを特徴とする請求項１に記載のPRSの送信方法。
【請求項３】
0005478721.tif 000036
0005478721.tif 000037
ことを特徴とする請求項１に記載の送信方法。
【請求項４】
サブフレームが非MBSFNサブフレームである場合に、
0005478721.tif 000038
ことを特徴とする請求項２又は３に記載の送信方法。
【請求項５】
0005478721.tif 000039
ことを特徴とする請求項１又は３に記載の送信方法。
【請求項６】
0005478721.tif 000040
0005478721.tif 000041
ことを特徴とする請求項１に記載の送信方法。
【請求項７】
非MBSFNサブフレームにおいて、前記PRSシーケンスが物理リソースブロックにおける位置を確定するステップは、
システム循環プレフィックスが伝統的な循環プレフィックスである場合に、
0005478721.tif 000042
システム循環プレフィックスが拡張循環プレフィックスである場合に、
0005478721.tif 000043
MBSFNサブフレームにおいて、前記PRSシーケンスが物理リソースブロックにおける位置を確定するステップは、
0005478721.tif 000044
0005478721.tif 000045
ことを特徴とする請求項６に記載の送信方法。
【請求項８】
前記確定した位置で取得したPRSシーケンスを送信するステップは、
前記PRSシーケンスと物理ダウンリンク制御チャンネルPDCCHでキャリーされるデータとは同一帯域幅で送信される場合に、PDCCHでキャリーされるデータのみを送信する
ことを特徴とする請求項１に記載の送信方法。
【請求項９】
前記確定した位置で取得したPRSシーケンスを送信するステップは、
前記PRSシーケンスと物理共有チャンネルPDSCHでキャリーされるデータとは同一帯域幅で送信される場合に、
R１０、R９バージョンのPDSCHはマッピングする場合に、PRSをマッピングした搬送波を避け、
PRSとR８バージョンのPDSCHでキャリーされるデータとは同一リソース要素REで送信される時に、当該REのPRSデータのみを送信する
ことを特徴とする請求項１に記載の送信方法。
【請求項１０】
前記確定した位置で取得したPRSシーケンスを送信するステップは、
前記PRSシーケンスとPDSCHでキャリーされるデータとは同一帯域幅で送信される場合に、それぞれのPRSのREはそれが位置するOFDMシンボルのPDSCHでキャリーされるデータのREパワーと一致し、
前記PRSシーケンスとPDSCHでキャリーされるデータとは異なる帯域幅で送信される場合に、それぞれのPRSのREはそれが位置するOFDMシンボルのPDSCHでキャリーされるデータのREパワーの６倍に等しい
ことを特徴とする請求項１に記載の送信方法。
【請求項１１】
前記確定した位置で取得したPRSシーケンスを送信するステップは、
示されたPRSシーケンスの送信パワーはセル固有基準信号CRSの送信パワーと一致し、
又は前記PRSシーケンスの送信パワーに対してシグナリングを介して配置する
ことを特徴とする請求項１に記載の送信方法。
【請求項１２】
PRSシーケンス取得ユニット、位置決定ユニット及び送信ユニットを含む位置決定基準信号の送信システムであって、 
0005478721.tif 000046
位置決定ユニットは、PRSシーケンス取得ユニットが取得したPRSシーケンスの物理リソースブロックにおける位置を確定することに用いられ、
送信ユニットは、位置決定ユニットが確定した位置でPRSシーケンス取得ユニットが取得したPRSシーケンスを送信することに用いられ、
0005478721.tif 000047
ことを特徴とする位置決定基準信号の送信システム。
【発明の詳細な説明】
【技術分野】
【０００１】
本発明は移動通信分野に関し、特に位置決定基準信号の送信方法及びシステムに関する。
【背景技術】
【０００２】
直交周波数分割多重（OFDM）技術は、本質的には多搬送波変調通信技術であり、OFDM技術は第４世代移動通信におけるコア技術の１つである。周波数領域において、OFDMのマルチパスチャンネルは、周波数選択性フェージングの特性が現れ、このようなフェージングを克服するために、周波数領域上でチャンネルを複数のサブチャンネルに分割し、各サブチャンネルの周波数スペクトル特性がほぼ平坦になり、且つOFDMの各サブチャンネルが互に直交するため、サブチャンネルの周波数スペクトルが互に積み重なることを許可し、これにより、周波数スペクトルリソースが最大限度に利用されることができる。
【０００３】
長期発展型（LTE：Long Term Evolution）システムは、第３世代パートナーシッププロジェクトの重要な計画である。図１はLTEシステムの周波数分割多重（FDD： Frequency Division Duplex）モードのフレーム構造を示し、図１に示すように、１つの１０msの無線フレーム（radio frame）は、２０つの長さが０．５ms、番号が#０〜#１９の時間スロット（slot）から構成され、時間スロット２iと時間スロット２i＋１とが、長さが１msのサブフレーム（subframe）iを構成する。LTEシステムが伝統的な循環プレフィックスのサブフレームを用いる場合に、１つの時間スロットは７つの長さのアップ/ダウンリンクシンボルを含み、LTEシステムが拡張循環プレフィックスのサブフレームを用いる場合に、１つの時間スロットは６つの長さのアップ/ダウンリンクシンボルを含む。１つのリソース要素（RE：Resource Element）は１つのOFDMシンボルにおける１つの副搬送波である。LTEシステムが伝統的な循環プレフィックスのサブフレームを用いる場合、１つのダウンリンクリソースブロック（RB：Resource Block）は１２個の連続した副搬送波と７つの連続したOFDMシンボルから構成される。LTEシステムが拡張循環プレフィックスのサブフレームを用いる場合、１つのRBは１２個の連続した副搬送波と６つの連続したOFDMシンボルから構成され、周波数領域で１８０kHzであり、時間領域で１つの一般的な時間スロットの時間長さであり、図２に示すよう。リソース割り当ての時、リソースブロックを基本単位として割り当てを行う。
【０００４】
LTEシステムは４アンテナの多入力多出力（MIMO：Multiple-Input Multiple-Out-put）システム応用をサポートし、相応的なアンテナポート#０、アンテナポート#１、アンテナポート#２、アンテナポート#３が全帯域幅のセル固有基準信号（CRS：Cell-specific reference signals）方式を用いる。サブフレームの循環プレフィックスが伝統的な循環プレフィックスである場合に、CRSが物理リソースブロックにおける位置は図３ａに示すようである。サブフレームの循環プレフィックスが拡張循環プレフィックスである場合に、CRSが物理リソースブロックにおける位置は図３ｂに示すようである。また、ユーザー固有基準信号（UE-specific reference signals）が更にあり、当該ユーザー固有基準信号はユーザー固有の物理共有チャンネル（PDSCH：Physical downlink shared channel）が位置する時間周波数領域位置のみで伝送され、その中に、CRSの機能はダウンリンクチャンネル品質に対する測定及びダウンリンクチャンネルに対する推定（復調）を含む。
【０００５】
基地局はセルにおける端末（UE）の位置を測定する必要があり、これにより、UEに対して有効的な配置とスケジューリングを行うことができ、現在、CRSを用いてUEに対して測定を行うが、しかし、CRSのパワーが半静的に配置されるため、UEの位置決定性能に対して制限がある。
【０００６】
【数１】
0005478721.tif 000002
【０００７】
【数２】
0005478721.tif 000003
【０００８】
【数３】
0005478721.tif 000004
【０００９】
【数４】
0005478721.tif 000005
【００１０】
【数５】
0005478721.tif 000006
【発明の概要】
【発明が解決しようとする課題】
【００１１】
本発明が解決しようとする技術的な問題は様々な場面で有効的なPRSシーケンスを取得できることを確保でき、そしてPRSの位置決定機能の実現を保証するために、位置決定基準信号の送信方法を提供することにある。
【課題を解決するための手段】
【００１２】
上記した技術的な問題を解決するために、本発明は位置決定基準信号の送信方法を提供し、
【数６】
0005478721.tif 000007
【００１３】
【数７】
0005478721.tif 000008
【００１４】
【数８】
0005478721.tif 000009
【００１５】
【数９】
0005478721.tif 000010
【００１６】
【数１０】
0005478721.tif 000011
【００１７】
【数１１】
0005478721.tif 000012
【００１８】
【数１２】
0005478721.tif 000013
【００１９】
【数１３】
0005478721.tif 000014
【００２０】
前記確定した位置で取得したPRSシーケンスを送信するステップは、
前記PRSシーケンスと物理ダウンリンク制御チャンネルPDCCHでキャリーされるデータとは同一帯域幅で送信される場合に、PDCCHでキャリーされるデータのみを送信する。
【００２１】
前記確定した位置で取得したPRSシーケンスを送信するステップは、
前記PRSシーケンスと物理共有チャンネルPDSCHでキャリーされるデータとは同一帯域幅で送信される場合に、
R１０、R９バージョンのPDSCHはマッピングする場合に、PRSをマッピングした搬送波を避け、
PRSとR８バージョンのPDSCHでキャリーされるデータとは同一リソース要素REで送信される場合に、当該REのPRSデータのみを送信する。
【００２２】
前記確定した位置で取得したPRSシーケンスを送信するステップは、
前記PRSシーケンスとPDSCHでキャリーされるデータとは同一帯域幅で送信される場合に、それぞれのPRSのREはそれが位置するOFDMシンボルのPDSCHでキャリーされるデータのREパワーと一致し、
前記PRSシーケンスとPDSCHでキャリーされるデータとは異なる帯域幅で送信される場合に、それぞれのPRSのREはそれが位置するOFDMシンボルのPDSCHでキャリーされるデータのREパワーの６倍に等しい。
【００２３】
前記確定した位置で取得したPRSシーケンスを送信するステップは、
示されたPRSシーケンスの送信パワーはセル固有基準信号CRSの送信パワーと一致し、
又は前記PRSシーケンスの送信パワーに対してシグナリングを介して配置する。
【００２４】
【数１４】
0005478721.tif 000015
【００２５】
位置決定ユニットは、PRSシーケンス取得ユニットが取得したPRSシーケンスが、物理リソースブロックにおける位置を確定することに用いられる。
【００２６】
送信ユニットは、位置決定ユニットが確定した位置でPRSシーケンス取得ユニットが取得したPRSシーケンスを送信することに用いられる。
【００２７】
【数１５】
0005478721.tif 000016
【００２８】
これによって、本発明の送信方法及び送信システムは、現在必要なPRSシーケンスが直接に取得でき、又は、最大長さのPRSシーケンスが先に生じ、そしてその中から現在必要なPRSシーケンスを傍受し、様々な場面で有効的なPRSシーケンスを取得することを確保し、これにより、PRSの位置決定機能の実現を保証する。
【図面の簡単な説明】
【００２９】
【図１】LTEシステム無線フレーム構造を示す図である。
【図２】システム帯域幅が５MHzであるLTEシステムの物理リソースブロックを示す図である。
【図３ａ】LTEシステムセル固有基準信号が物理リソースブロックにおける位置を示す図である。
【図３ｂ】LTEシステムセル固有基準信号が物理リソースブロックにおける位置を示す別の図である。
【図４ａ】既存スキームPRSが物理リソースブロックにおける位置を示す図である。
【図４ｂ】既存スキームPRSが物理リソースブロックにおける位置を示す別の図である。
【図５】サブフレームがMBSFNである場合にPRSは物理リソースブロックにおける位置を示す図である。
【図６】本発明実施例に係るPRSの送信方法のフローチャートである。
【図７】本発明のPRS送信方法を用いて位置決定を行う方法の応用例のフローチャートである。
【図８】本発明実施例に係るPRSの送信システムを示す図である。
【発明を実施するための形態】
【００３０】
以下、図面及び実施例を合わせて本発明の技術的なスキームを詳細に説明する。
【００３１】
図６は本発明実施例に係るPRSの送信方法のフローチャートである。図６に示すように、本発明実施例のPRSの送信方法は以下のステップを含む。
【００３２】
【数１６】
0005478721.tif 000017
【００３３】
【数１７】
0005478721.tif 000018
【００３４】
【数１８】
0005478721.tif 000019
【００３５】
【数１９】
0005478721.tif 000020
【００３６】
【数２０】
0005478721.tif 000021
【００３７】
【数２１】
0005478721.tif 000022
【００３８】
【数２２】
0005478721.tif 000023
【００３９】
【数２３】
0005478721.tif 000024
【００４０】
【数２４】
0005478721.tif 000025
【００４１】
MBSFNサブフレームにおいて以上の式を用いるメリットはマッピングが簡単であり、伝統的な循環プレフィックスと拡張循環プレフィックスとである場合に用いるマッピング方式に類似し、同一方式を用いて実現でき、実現の複雑さを下げる。
【００４２】
【数２５】
0005478721.tif 000026
【００４３】
PRSと、物理ダウンリンク制御チャンネル（PDCCH：Physical downlink control channel）、物理HARQインジケータチャネル（PHICH：Physical hybrid-ARQ indicator channel）、プライマリ同期（PSCH：Primary synchronization）チャンネル、セカンダリ同期（SSCH：Secondary synchronization）チャンネル又は物理放送チャンネル（PBCH：Physical broadcast channel）のデータとは同一REで送信される場合に、当該REのPRSシンボルは取り除かれ（又はカバーされるという）、即ち、当該REのPDCCH、PHICH、PSCH、SSCH又はPBCHのデータのみを送信し、つまり、当該REのPRSを送信しない。
【００４４】
PRSとPDSCHのデータとは同一帯域幅で送信される場合に、
R１０、R９バージョンのPDSCHが当該リソースエリアにマッピングする場合に、PRSマッピングを避け、即ち、R１０、R９バージョンのPDSCHでキャリーされるデータに対してレートマッチングを行う場合に、PRSに占拠されたリソースを抜いてコードレートマッチング後のデータの長さを計算することに従って、即ち、R１０、R９バージョンのPDSCHがマッピングする場合に、PRSをマッピングした搬送波を避ける、
R８バージョンのPDSCHでキャリーされるデータとPRSとは同一REで送信される場合に、R８バージョンのPDSCHデータが取り除かれ、又は、当該REのR８バージョンPDSCHでキャリーされるデータを送信しなくて、当該REのPRSデータのみを送信する。
【００４５】
【数２６】
0005478721.tif 000027
【００４６】
図７は本発明のPRS送信方法を用いて位置決定を行う方法の応用例のフローチャートであり、図７に示すように、本実施例の本発明のPRS送信方法を用いて位置決定を行う方法は以下のステップを含む：
ステップ７００、基地局はUEに配置情報を伝送する。
【００４７】
本ステップにおいて、配置情報は位置決定協力セル集（位置決定協力セル群には少なくともセルIDを含む）、PRSの生成期間と初期サブフレーム、及び、毎回連続送信するサブフレームの数量と送信帯域幅を含む。
【００４８】
【数２７】
0005478721.tif 000028
【００４９】
上記したステップ７０１とステップ７０２との実行は前後順序に関わらず、同時に実行してもよい。
【００５０】
ステップ７０１〜ステップ７０３の具体的な実現は図６に示す実施例におけるPRSの送信方法の各ステップに類似し、ここで贅言しない。
【００５１】
ステップ７０４、UEは基地局の配置情報に応じてPRSを受信し、位置決定を行う。
【００５２】
その後、UEは位置決定情報を基地局にフィードバックする。
【００５３】
【数２８】
0005478721.tif 000029
【００５４】
位置決定ユニットは、PRSシーケンス取得ユニットが取得したPRSシーケンスが、物理リソースブロックにおける位置を確定することに用いられる。
【００５５】
送信ユニットは、位置決定ユニットが確定した位置で、PRSシーケンス取得ユニット取得したPRSシーケンスを送信することに用いられる。
【００５６】
当該位置決定基準信号の送信システムにおける各ユニットの実行は前記位置決定基準信号の送信方法における実施形態に類似し、ここで贅言しない。
【００５７】
上記したものは、本発明の好ましい実施例に過ぎず、本発明の保護範囲を限定することに用いられるものではなく、当業者にとっては、様々な修正と変更を実施することができる。本発明の思想及び要旨を逸脱しない範囲での様々の修正、等価な置換、改善などは、本発明の保護範囲に含まれると理解すべきである。
【図１】
0005478721.tif 000048
【図２】
0005478721.tif 000049
【図３ａ】
0005478721.tif 000050
【図３ｂ】
0005478721.tif 000051
【図４ａ】
0005478721.tif 000052
【図４ｂ】
0005478721.tif 000053
【図５】
0005478721.tif 000054
【図６】
0005478721.tif 000055
【図７】
0005478721.tif 000056
【図８】
0005478721.tif 000057